(57)【要約】【課題】装置全体を小型化する。【解決手段】セグメント基板１の下辺突出部１ａの半導体チップ搭載領域１３内に設けられた出力端子のうちのコモン出力端子は、その右側領域に設けられた引き回し線１４、中継接続端子１５、中継用のフレキシブル配線板、セグメント基板１の外面に設けられた引き回し線３４、３５、中継用のフレキシブル配線板、セグメント基板１の左辺突出部１ｂ及び右辺突出部１ｃに設けられた中継接続端子２５、２６、引き回し線２３、２４を介してコモン接続端子２１、２２に接続されている。コモン接続端子２１、２２は、シール材３中に含有された導電性粒子を介してコモン基板のコモン電極に接続されている。これにより、セグメント基板１の両側におけるコモン用引き回し線の配設領域の幅を小さくすることができる。【選択図】        図２
2004163651.tif 000002
【特許請求の範囲】
【請求項１】
第１の電極と第２の電極とが設けられた一対の基板間に液晶が封入されてなる液晶表示装置において、前記一方の基板の少なくとも相隣接する第１の辺部及び第２の辺部が前記他方の基板から突出され、前記第１の辺突出部を含む前記一方の基板の前記他方の基板と対向する側の面に第１の外部接続端子と、第２の外部接続端子と、中継接続端子と、前記第１の外部接続端子と前記第１の電極とを接続する第１の引き回し線と、前記第２の外部接続端子と前記中継接続端子とを接続する第２の引き回し線とが設けられ、前記第２の辺突出部を含む前記一方の基板の前記他方の基板と対向する側の面に中継配線が設けられ、前記両基板のうちの少なくとも一方の基板の外面側に外部配線が設けられ、前記中継接続端子と前記外部配線の一端部とが第１のフレキシブル配線板を介して電気的に接続され、前記外部配線の他端部と前記中継配線の一端部とが第２のフレキシブル配線板を介して電気的に接続されていることを特徴とする液晶表示装置。
【請求項２】
請求項１に記載の発明において、前記第１の電極は前記一方の基板に形成され、前記第２の電極は前記他方の基板に形成されており、前記中継配線の他端部と前記第２の電極とは上下配線導通部材により接続されていることを特徴とする液晶表示装置。
【請求項３】
請求項１に記載の発明において、前記第１の辺突出部に半導体チップが搭載され、該半導体チップの入力側に前記第１の外部接続端子及び前記第２の外部接続端子が接続され、出力側に前記第１の引き回し線及び前記第２の引き回し線が接続されていることを特徴とする液晶表示装置。
【請求項４】
請求項１に記載の発明において、前記一方の基板の第２の辺突出部と対向する第３の辺部が前記他方の基板から突出され、該第３の辺突出部を含む前記一方の基板の前記他方の基板と対向する側の面側は前記第２の辺突出部を含む前記一方の基板の前記他方の基板と対向する側の面側とほぼ対称な構造となっていることを特徴とする液晶表示装置。
【請求項５】
第１の電極と第２の電極とが設けられた一対の基板間に液晶が封入されてなる液晶表示装置において、前記一方の基板の少なくとも相隣接する第１の辺部及び第２の辺部が前記他方の基板から突出され、前記第１の辺突出部を含む前記一方の基板の前記他方の基板と対向する側の面に第１の接続端子と、第２の接続端子と、前記第１の接続端子と前記第１の電極とを接続する引き回し線とが設けられ、前記第２の辺突出部を含む前記一方の基板の前記他方の基板と対向する側の面に一端部を前記第２の接続端子に接続された配線が設けられ、前記両基板のうちの少なくとも一方の基板の外面側に一端部を外部接続端子とされた外部配線が設けられ、該外部配線の他端部と前記第１の接続端子及び前記第２の接続端子とがフレキシブル配線板を介して電気的に接続されていることを特徴とする液晶表示装置。
【請求項６】
請求項５に記載の発明において、前記第１の電極は前記一方の基板に形成され、前記第２の電極は前記他方の基板に形成されており、前記配線の他端部と前記第２の電極とは上下配線導通部材により接続されていることを特徴とする液晶表示装置。
【請求項７】
請求項５に記載の発明において、前記第１の辺突出部に半導体チップが搭載され、該半導体チップの入力側に前記第１の接続端子及び前記第２の接続端子が接続され、出力側に前記引き回し線及び前記配線が接続されていることを特徴とする液晶表示装置。
【請求項８】
請求項５に記載の発明において、前記第２の辺突出部の前記他方の基板と対向する側の面にチップ部品が搭載されていることを特徴とする液晶表示装置。
【請求項９】
請求項８に記載の発明において、前記チップ部品は前記外部配線の一部の他端部に別のフレキシブル配線板を介して電気的に接続されていることを特徴とする液晶表示装置。
【請求項１０】
請求項９に記載の発明において、前記他方の基板の外面側において前記第２の辺突出部に搭載された前記チップ部品を避けた領域にバックライトが配置されていることを特徴とする液晶表示装置。
【請求項１１】
請求項１０に記載の発明において、前記チップ部品の厚さは前記他方の基板の厚さよりも厚くなっていることを特徴とする液晶表示装置。
【請求項１２】
請求項５に記載の発明において、前記一方の基板の第２の辺突出部と対向する第３の辺部が前記他方の基板から突出され、該第３の辺突出部を含む前記一方の基板の前記他方の基板と対向する側の面側は前記第２の辺突出部を含む前記一方の基板の前記他方の基板と対向する側の面側とほぼ対称な構造となっていることを特徴とする液晶表示装置。
【請求項１３】
請求項１または５に記載の発明において、前記外部配線は透明導電材によって形成されていることを特徴とする液晶表示装置。
【請求項１４】
請求項１または５に記載の発明において、前記外部配線は前記一方の基板の外面に直接設けられていることを特徴とする液晶表示装置。
【請求項１５】
請求項１または５に記載の発明において、前記外部配線は前記一方の基板の外面側に設けられた透明フィルム基板に設けられていることを特徴とする液晶表示装置。
【請求項１６】
請求項２または６に記載の発明において、前記上下配線導通部材は前記一対の基板を貼り合わせるシール材中に含有された導電性粒子からなることを特徴とする液晶表示装置。
【発明の詳細な説明】
【０００１】
【発明の属する技術分野】
この発明は液晶表示装置に関する。
【０００２】
【従来の技術】
従来のパッシブマトリクス型の液晶表示装置は、列方向に配列された複数のセグメント電極を有するセグメント基板と、行方向に配列された複数のコモン電極を有するコモン基板とをほぼ方形枠状のシール材を介して貼り合わせ、シール材の内側における両基板間に液晶を封入し、セグメント基板の所定の一辺部をコモン基板から突出させ、この一辺突出部の中央部に複数のセグメント端子を設け、その両側に複数ずつのコモン端子を設け、セグメント電極とセグメント端子とをその間に設けられた引き回し線を介して接続し、コモン電極とコモン端子とをコモン基板のコモン電極配列領域の行方向両側に設けられた引き回し線、上下配線導通部材、セグメント基板の一辺突出部の両側に設けられた引き回し線を介して接続し、セグメント端子及びコモン端子に外部接続用のフレキシブル配線板の一端部を接続している（例えば、特許文献１参照）。
【０００３】
【特許文献１】
特開２０００−２５９０９１号公報（図１、図２、図５、図６）
【０００４】
【発明が解決しようとする課題】
しかしながら、上記従来の液晶表示装置では、コモン電極とコモン端子とを接続するために、コモン基板のコモン電極配列領域の行方向両側に引き回し線を設けるとともに、セグメント基板の一辺突出部の両側に引き回し線を設けているので、両基板の行方向のサイズがこれらの引き回し線の配設領域の幅の分だけ大きくなり、ひいては装置全体が大型化してしまうという問題があった。
そこで、この発明は、装置全体を小型化することができる液晶表示装置を提供することを目的とする。
【０００５】
【課題を解決するための手段】
請求項１に記載の発明は、第１の電極と第２の電極とが設けられた一対の基板間に液晶が封入されてなる液晶表示装置において、前記一方の基板の少なくとも相隣接する第１の辺部及び第２の辺部が前記他方の基板から突出され、前記第１の辺突出部を含む前記一方の基板の前記他方の基板と対向する側の面に第１の外部接続端子と、第２の外部接続端子と、中継接続端子と、前記第１の外部接続端子と前記第１の電極とを接続する第１の引き回し線と、前記第２の外部接続端子と前記中継接続端子とを接続する第２の引き回し線とが設けられ、前記第２の辺突出部を含む前記一方の基板の前記他方の基板と対向する側の面に中継配線が設けられ、前記両基板のうちの少なくとも一方の基板の外面側に外部配線が設けられ、前記中継接続端子と前記外部配線の一端部とが第１のフレキシブル配線板を介して電気的に接続され、前記外部配線の他端部と前記中継配線の一端部とが第２のフレキシブル配線板を介して電気的に接続されていることを特徴とするものである。
請求項２に記載の発明は、請求項１に記載の発明において、前記第１の電極は前記一方の基板に形成され、前記第２の電極は前記他方の基板に形成されており、前記中継配線の他端部と前記第２の電極とは上下配線導通部材により接続されていることを特徴とするものである。
請求項３に記載の発明は、請求項１に記載の発明において、前記第１の辺突出部に半導体チップが搭載され、該半導体チップの入力側に前記第１の外部接続端子及び前記第２の外部接続端子が接続され、出力側に前記第１の引き回し線及び前記第２の引き回し線が接続されていることを特徴とするものである。
請求項４に記載の発明は、請求項１に記載の発明において、前記一方の基板の第２の辺突出部と対向する第３の辺部が前記他方の基板から突出され、該第３の辺突出部を含む前記一方の基板の前記他方の基板と対向する側の面側は前記第２の辺突出部を含む前記一方の基板の前記他方の基板と対向する側の面側とほぼ対称な構造となっていることを特徴とするものである。
請求項５に記載の発明は、第１の電極と第２の電極とが設けられた一対の基板間に液晶が封入されてなる液晶表示装置において、前記一方の基板の少なくとも相隣接する第１の辺部及び第２の辺部が前記他方の基板から突出され、前記第１の辺突出部を含む前記一方の基板の前記他方の基板と対向する側の面に第１の接続端子と、第２の接続端子と、前記第１の接続端子と前記第１の電極とを接続する引き回し線とが設けられ、前記第２の辺突出部を含む前記一方の基板の前記他方の基板と対向する側の面に一端部を前記第２の接続端子に接続された配線が設けられ、前記両基板のうちの少なくとも一方の基板の外面側に一端部を外部接続端子とされた外部配線が設けられ、該外部配線の他端部と前記第１の接続端子及び前記第２の接続端子とがフレキシブル配線板を介して電気的に接続されていることを特徴とするものである。
請求項６に記載の発明は、請求項５に記載の発明において、前記第１の電極は前記一方の基板に形成され、前記第２の電極は前記他方の基板に形成されており、前記配線の他端部と前記第２の電極とは上下配線導通部材により接続されていることを特徴とするものである。
請求項７に記載の発明は、請求項５に記載の発明において、前記第１の辺突出部に半導体チップが搭載され、該半導体チップの入力側に前記第１の接続端子及び前記第２の接続端子が接続され、出力側に前記引き回し線及び前記配線が接続されていることを特徴とするものである。
請求項８に記載の発明は、請求項５に記載の発明において、前記第２の辺突出部の前記他方の基板と対向する側の面にチップ部品が搭載されていることを特徴とするものである。
請求項９に記載の発明は、請求項８に記載の発明において、前記チップ部品は前記外部配線の一部の他端部に別のフレキシブル配線板を介して電気的に接続されていることを特徴とするものである。
請求項１０に記載の発明は、請求項９に記載の発明において、前記他方の基板の外面側において前記第２の辺突出部に搭載された前記チップ部品を避けた領域にバックライトが配置されていることを特徴とするものである。
請求項１１に記載の発明は、請求項１０に記載の発明において、前記チップ部品の厚さは前記他方の基板の厚さよりも厚くなっていることを特徴とするものである。
請求項１２に記載の発明は、請求項５に記載の発明において、前記一方の基板の第２の辺突出部と対向する第３の辺部が前記他方の基板から突出され、該第３の辺突出部を含む前記一方の基板の前記他方の基板と対向する側の面側は前記第２の辺突出部を含む前記一方の基板の前記他方の基板と対向する側の面側とほぼ対称な構造となっていることを特徴とするものである。
請求項１３に記載の発明は、請求項１または５に記載の発明において、前記外部配線は透明導電材によって形成されていることを特徴とするものである。
請求項１４に記載の発明は、請求項１または５に記載の発明において、前記外部配線は前記一方の基板の外面に直接設けられていることを特徴とするものである。
請求項１５に記載の発明は、請求項１または５に記載の発明において、前記外部配線は前記一方の基板の外面側に設けられた透明フィルム基板に設けられていることを特徴とするものである。
請求項１６に記載の発明は、請求項２または６に記載の発明において、前記上下配線導通部材は前記一対の基板を貼り合わせるシール材中に含有された導電性粒子からなることを特徴とするものである。
そして、この発明によれば、両基板のうちの少なくとも一方の基板の外面側に配線の一部としての外部配線を設けているので、それに応じて装置全体を小型化することができる。
【０００６】
【発明の実施の形態】
（第１実施形態）
図１はこの発明の第１実施形態としての液晶表示装置の平面図を示し、図２及び図３はそれぞれそのうちのセグメント基板の平面図及び底面図を示し、図４はそのうちのコモン基板の透過平面図を示したものである。
【０００７】
図１に示すように、この液晶表示装置は、紙面垂直方向に対し下側のセグメント基板１と上側のコモン基板２とがほぼ方形枠状のシール材３を介して貼り合わされ、シール材３の内側における両基板１、２間に液晶（図示せず）が封入されたものからなっている。
【０００８】
この場合、セグメント基板１の図１で下方の下辺部、左方向の左辺部及び右方向の右辺部はコモン基板２から突出されている。以下、これらの突出部を下辺突出部１ａ、左辺突出部１ｂ及び右辺突出部１ｃという。また、コモン基板２の外形サイズはシール材３の外形サイズとほぼ同じとなっている。さらに、シール材３に形成された切欠部からなる液晶注入口３ａは、両基板１、２の図１で上方の上辺部のほぼ中央部に設けられている。
【０００９】
下辺突出部１ａの内面（コモン基板２と対向する側の面）左側には、この液晶表示装置を駆動するためのＬＳＩ等からなる半導体チップ４が搭載されている。下辺突出部１ａの内面左側で半導体チップ４搭載領域の外側には外部接続用のフレキシブル配線板５の一端部が接合されている。
【００１０】
下辺突出部１ａの内面右側でその突出端部には第１の中継用のフレキシブル配線板６の一端部が接合され、その他端部は同部分の外面に接合されている。左辺突出部１ｂの内面ほぼ中央部でその突出端部には第２の中継用のフレキシブル配線板７の一端部が接合され、その他端部は同部分の外面に接合されている。右辺突出部１ｃの内面ほぼ中央部でその突出端部には第３の中継用のフレキシブル配線板８の一端部が接合され、その他端部は同部分の外面に接合されている。
【００１１】
図２（セグメント基板１の平面図）に示すように、セグメント基板１の内面のシール材３で囲まれた領域には複数のセグメント電極１１が列方向（紙面上下方向）に平行に延在されて設けられている。セグメント電極１１の下端部は、その下側領域に設けられた引き回し線１２（両側の２本のみ図示）を介して、図１に示す半導体チップ４が搭載される半導体チップ搭載領域１３（点線で囲まれた領域）内の上辺部左側に設けられたセグメント出力端子（図示せず）に接続されている。
【００１２】
半導体チップ搭載領域１３内の上辺部右側に設けられたコモン出力端子（図示せず）は、その右側領域に設けられた引き回し線１４（両側の２本のみ図示）を介して、下辺突出部１ａの内面右側でその突出端部に設けられた中継接続端子１５に接続されている。この中継接続端子１５には、図１に示す第１の中継用のフレキシブル配線板６の一端部が異方性導電接着剤（図示せず）を介して接続されている。
【００１３】
半導体チップ搭載領域１３内の下辺部に設けられたセグメント入力端子及びコモン入力端子（共に図示せず）は、その下側領域に設けられた外部接続端子１６に接続されている。この外部接続端子１６には、図１に示す外部接続用のフレキシブル配線板５の一端部が異方性導電接着剤（図示せず）を介して接続されている。
【００１４】
ここで、半導体チップ搭載領域１３に搭載された半導体チップ４は、セグメント電極１１に駆動電圧を供給する信号側ドライバと、後述するコモン電極３６（図４参照）に駆動電圧を供給する走査側ドライバを内蔵しており、その下面の一辺部に設けられた入力端子（図示せず）は、半導体チップ搭載領域１３内の下辺部に設けられたセグメント入力端子１６ａ及びコモン入力端子１６ａを介して外部接続端子１６に接続されるものであり、半導体チップ４の下面の他辺部に設けられた出力端子（図示せず）は、半導体チップ搭載領域１３内の上辺部に設けられたセグメント出力端子１２ａ（第１の外部接続端子）及びコモン出力端子１４ａ（第２の外部接続端子）を介して、それぞれ、引き回し線１２、１４に接続されている。
【００１５】
セグメント基板１の内面においてセグメント電極１１配列領域の左右両側におけるシール材３配置領域及びその各内側には複数ずつのコモン接続端子２１、２２が設けられている。コモン接続端子２１、２２は、その各外側領域に設けられた引き回し線２３、２４（各両側の２本のみ図示）を介して、左辺突出部１ｂ及び右辺突出部１ｃの各内面ほぼ中央部でその突出端部に設けられた中継接続端子（中継配線）２５、２６に接続されている。これらの中継接続端子２５、２６には、図１に示す第２及び第３の中継用のフレキシブル配線板７、８の各一端部が異方性導電接着剤（図示せず）を介して接続されている。
【００１６】
図３（セグメント基板１の底面図）に示すように、セグメント基板１の外面の下辺部左側には複数の中継接続端子３１が設けられている。セグメント基板１の外面の右辺部ほぼ中央部及び左辺部ほぼ中央部には複数ずつの中継接続端子３２、３３が設けられている。中継接続端子３２、３３は、セグメント基板１の外面の各所定の箇所に設けられた引き回し線３４、３５（各両側の２本のみ図示）を介して複数の中継接続端子３１の右半分及び左半分にそれぞれ接続されている。
【００１７】
そして、中継接続端子３１には、図１に示す第１の中継用のフレキシブル配線板６の他端部が異方性導電接着剤（図示せず）を介して接続されている。中継接続端子３２には、図１に示す第２の中継用のフレキシブル配線板７の他端部が異方性導電接着剤（図示せず）を介して接続されている。中継接続端子３３には、図１に示す第３の中継用のフレキシブル配線板８の他端部が異方性導電接着剤（図示せず）を介して接続されている。
【００１８】
したがって、図２に示す半導体チップ搭載領域１３内の上辺部右側に設けられたコモン出力端子は、引き回し線１４、中継接続端子１５、図１に示す第１の中継用のフレキシブル配線板６、図３に示す中継接続端子３１、引き回し線３４、３５、中継接続端子３２、３３、図１に示す第２及び第３の中継用のフレキシブル配線板７、８、図２に示す中継接続端子２５、２６、引き回し線２３、２４を介してコモン接続端子２１、２２に接続されている。
【００１９】
図４（コモン基板２の透過平面図）に示すように、コモン基板２の内面（セグメント基板１と対向する側の面）のシール材３で囲まれた領域には複数のコモン電極３６が行方向（紙面左右方向）に平行に延在されて設けられている。この場合、図４において、奇数行のコモン電極３６の右端部はコモン基板２の右端面（シール材３配置領域）まで延出され、偶数行のコモン電極３６の左端部はコモン基板２の左端面（シール材３配置領域）まで延出されている。
【００２０】
そして、コモン電極３６のシール材３配置領域に延出された部分は、シール材３として異方性導電接着剤を用いることにより、シール材３中に含有された導電性粒子（図示せず）からなる上下配線導通部材を介して、図２に示すコモン接続端子２１、２２に接続されている。
【００２１】
このように、この液晶表示装置では、図２を参照して説明すると、セグメント基板１の下辺突出部１ａの半導体チップ搭載領域１３内に設けられたコモン出力端子１４ａと、セグメント基板１の内面のセグメント電極１１配列領域の左右両側におけるシール材３配置領域及びその各内側に設けられたコモン接続端子２１、２２とを、セグメント基板１の外面に設けられた引き回し線３４、３５等を介して電気的に接続しているので、セグメント基板１の左辺突出部１ｂ及び右辺突出部１ｃに引き回し線２３、２４及び中継接続端子２５、２６を配設するための領域を最小必要限の面積とすることができる。
【００２２】
この結果、セグメント基板１側のコモン用の引き回し線２３、２４及び中継接続端子２５、２６の配設領域の幅を、セグメント基板１の左辺突出部１ｂ及び右辺突出部１ｃのみを介して引き回す場合に比べて相当に小さくすることができ、ひいては装置全体を小型化することができる。
【００２３】
上記において、セグメント基板１の内面に形成するセグメント電極１１、外部接続端子１６、中継接続端子１５、２５、２６、コモン接続端子２１、２２、引き回し線１２、１４、２３、２４の全てをＩＴＯにより形成することが可能であり、生産性を向上することができる。また、セグメント基板１の外面に設ける引き回し線３４、３５及び中継接続端子３１〜３３をＩＴＯ等の透明導電材によって形成すると、これらが液晶表示駆動時に視認されることはなく、したがって表示品位が低下しないようにすることができる。
【００２４】
（第２実施形態）
上記第１実施形態では、図３に示すように、セグメント基板１の外面に引き回し線３４、３５及び中継接続端子３１〜３３を設けた場合について説明したが、これに限らず、図５に示すこの発明の第２実施形態のようにしてもよい。すなわち、コモン基板２の外面に引き回し線３４、３５及び中継接続端子３１〜３３を設け、中継接続端子３１に第１の中継用のフレキシブル配線板６の他端部を接続し、中継接続端子３２に第２の中継用のフレキシブル配線板７の他端部を接続し、中継接続端子３３に第３の中継用のフレキシブル配線板８の他端部を接続するようにしてもよい。
【００２５】
なお、上述の第１、第２実施形態において、半導体チップ搭載領域１３に搭載される半導体チップ４は、信号側ドライバと走査側ドライバが別体のものでもよく、また、半導体チップを搭載するのではなく、セグメント基板１の半導体チップ搭載領域１３上に薄膜トランジスタにより信号側ドライバと走査側ドライバを形成するようにしてもよい。
【００２６】
また、信号側ドライバと走査側ドライバをフレキシブル配線板５に搭載し、各ドライバの出力を外部接続端子１６に接続するようにすることも可能である。その場合、外部接続端子１６の一部は、直接、引き回し線１２に接続されてセグメント電極１１に接続され、外部接続端子１６の残りは、直接、引き回し線１４に接続されて中継端子１５に接続される構成となる。
【００２７】
さらに、上述の実施形態は、一方の基板の内面にセグメント電極１１およびコモン電極３６が形成され、その各交点近傍にスイッチング素子および画素電極が形成されたアクティブ型の液晶表示装置に適用することもできるものであり、その場合は、引き回し線２３、２４がコモン電極３６に直接接続される構成となり、コモン接続端子２１または２２とコモン電極３６とを導通するための上下配線導通部材は不要となる。
【００２８】
（第３実施形態）
図６はこの発明の第３実施形態としての液晶表示装置の平面図を示し、図７及び図８はそれぞれそのうちのセグメント基板の平面図及び底面図を示したものである。これらの図において、図１〜図３とほぼ同一部分には同一の符号を付し、その説明を適宜省略する。なお、コモン基板２は図４に示す場合と同じであるので、必要な場合には図４を参照して説明する。
【００２９】
この液晶表示装置において、上記第１実施形態としての液晶表示装置と大きく異なる点は、図６及び図７に示すように、セグメント基板１の左辺突出部１ｂ及び右辺突出部１ｃの各内面に、この液晶表示装置の駆動に必要なコンデンサ、ダイオード、抵抗等からなる複数ずつのチップ部品４０、４１を適宜に搭載し、図７に示すように、セグメント基板１の内面のセグメント電極１１配列領域の左右両側においてシール材３配置領域の内側及びその各下側領域の下辺突出部１ａの内面にコモン用の引き回し線（配線）４２、４３（各両側の２本のみ図示）を設け、図６に示すように、セグメント基板１の左辺部外面の所定の箇所に外部接続用のフレキシブル配線板４４の一端部を接合したことである。
【００３０】
次に、その他の部分について説明する。図６に示すように、セグメント基板１の下辺突出部１ａの内面中央部には半導体チップ４が搭載されている。半導体チップ４は、図示はしないが、信号側ドライバと走査側ドライバを内蔵するものであり、中央部に信号側の入出力端子、その両側に走査側の入出力端子を有しているものである。
【００３１】
下辺突出部１ａの内面中央部で半導体チップ４搭載領域の外側には第１の中継用のフレキシブル配線板４５の一端部が接合され、その他端部は同部分の外面に接合されている。下辺突出部１ａの内面左端部には第２の中継用のフレキシブル配線板４６の一端部が接合され、その他端部は同部分の外面に接合されている。下辺突出部１ａの内面右端部には第３の中継用のフレキシブル配線板４７の一端部が接合され、その他端部は同部分の外面に接合されている。
【００３２】
図７（セグメント基板１の平面図）に示すように、セグメント電極１１の下端部は、その下側領域に設けられた引き回し線１２（両側の２本のみ図示）を介して、図６に示す半導体チップ４が搭載される半導体チップ搭載領域１３（点線で囲まれた領域）内の上辺部中央部に設けられたセグメント出力端子（図示せず）に接続されている。
【００３３】
半導体チップ搭載領域１３内の上辺部中央には、セグメント出力端子（第１の接続端子）１２ａが引き回し線１２を介してセグメメント電極１１に接続されており、その左右両側及び左右辺部に設けられたコモン出力端子（第２の接続端子）４２ａ、４３ａは、上記コモン用の引き回し線４２、４３を介して、セグメント基板１の内面においてセグメント電極１１配列領域の左右両側におけるシール材３配置領域及びその各内側に設けられたコモン接続端子２１、２２に接続されている。
【００３４】
半導体チップ搭載領域１３内の下辺部に設けられたセグメント入力端子及びコモン入力端子４８ａは、その下側領域に設けられた中継接続端子４８に接続されている。この中継接続端子４８には、図６に示す第１の中継用のフレキシブル配線板４５の一端部が異方性導電接着剤（図示せず）を介して接続されている。
【００３５】
セグメント基板１の下辺突出部１ａの内面の左右端部には中継接続端子４９、５０が設けられている。これらの中継接続端子４９、５０には、セグメント基板１の左辺突出部１ｂ及び右辺突出部１ｃの各内面に、チップ部品４０、４１を適宜に例えば直列的にあるいは並列的に接続するように設けられた配線（図示せず）が接続されている。そして、中継接続端子４９、５０には、図６に示す第２及び第３の中継用のフレキシブル配線板４６、４７の各一端部が異方性導電接着剤（図示せず）を介して接続されている。
【００３６】
図８（セグメント基板１の底面図）に示すように、セグメント基板１の外面の下辺部中央部には複数の中継接続端子５１が設けられている。セグメント基板１の外面の右辺部下端部及び左辺部下端部には複数ずつの中継接続端子５２、５３が設けられている。セグメント基板１の外面の右辺部の所定の箇所には外部接続端子５４が設けられている。外部接続端子５４は、セグメント基板１の外面の所定の箇所に設けられた引き回し線５５（両側の２本のみ図示）を介して中継接続端子５１、５２、５３に接続されている。
【００３７】
そして、外部接続端子５４には、図６に示す外部接続用のフレキシブル配線板４４の一端部が異方性導電接着剤（図示せず）を介して接続されている。中継接続端子５１には、図６に示す第１の中継用のフレキシブル配線板４６の他端部が異方性導電接着剤（図示せず）を介して接続されている。中継接続端子５２には、図６に示す第２の中継用のフレキシブル配線板４６の他端部が異方性導電接着剤（図示せず）を介して接続されている。中継接続端子５３には、図６に示す第３の中継用のフレキシブル配線板４７の他端部が異方性導電接着剤（図示せず）を介して接続されている。
【００３８】
したがって、図８に示す外部接続端子５４の一部は、引き回し線５５、中継接続端子５１、図６に示す第１の中継用のフレキシブル配線板４５、図７に示す中継接続端子４８を介して、半導体チップ搭載領域１３に搭載された半導体チップ４の入力端子（図示せず）に接続されている。半導体チップ４の出力端子（図示せず）の一部は引き回し線１２を介してセグメント電極１１に接続され、残部は引き回し線４２、４３を介してコモン接続端子２１、２２に接続されている。コモン接続端子２１、２２は、シール材３中に含有された導電性粒子（図示せず）からなる上下配線導通部材を介して、図４に示すコモン基板２のコモン電極３６に接続されている。
【００３９】
一方、図８に示す外部接続端子５４の残部は、引き回し線５５、中継接続端子５２、５３、図６に示す第２、第３の中継用のフレキシブル配線板４６、４７、図７に示す中継接続端子４９、５０等を介してチップ部品４０、４１に接続されている。
【００４０】
ところで、この液晶表示装置では、図７に示すように、セグメント基板１の内面のセグメント電極１１配列領域の左右両側においてシール材３配置領域の内側及びその各下側領域の下辺突出部１ａの内面にコモン用の引き回し線４２、４３を設けているので、図２に示す場合と比較すると、セグメント電極１１配列領域の左右方向の長さを小さくせざるを得ず、表示領域の左右方向の長さが小さくなってしまう。
【００４１】
しかし、図７に示す場合には、セグメント基板１の左辺突出部１ｂおよび右辺突出部１ｃの各内面に複数ずつのチップ部品４０、４１を搭載しているので、装置全体の左右方向の長さを図２に示す場合と同じとすると、チップ部品４０、４１を搭載した上、装置全体を小型化することができると言える。
【００４２】
なお、図９は図６に示す液晶表示装置（ただし、フレキシブル配線板４４、４５、４６、４７は図示せず）に対してバックライトを配置した状態の平面図を示し、図１０はその右側面図を示したものである。この場合の液晶表示装置では、セグメント基板１の左辺突出部１ｂに搭載されたチップ部品４０と右辺突出部１ｃに搭載されたチップ部品４１との間におけるコモン基板２の外面側に平面型のバックライト６１が配置されている。
【００４３】
このように、セグメント基板１の両側のチップ部品４０、４１間におけるコモン基板２の外面側に平面型のバックライト６１を配置すると、チップ部品４０、４１の厚さがコモン基板２の厚さよりも厚くなっていても、この厚さの差をバックライト６１配置領域の両側の空間で吸収することができる。この結果、バックライト６１を含む液晶表示装置が厚くならないようにすることができ、ひいては装置全体を薄型化することができる。
【００４４】
（第４実施形態）
上記第３実施形態では、図８に示すように、セグメント基板１の外面に外部接続端子５４、引き回し線５５及び中継接続端子５１〜５３を設けた場合について説明したが、これに限らず、図１１に示すこの発明の第４実施形態のようにしてもよい。すなわち、コモン基板２の外面に外部接続端子５４、引き回し線５５及び中継接続端子５１〜５３を設け、外部接続端子５４に外部接続用のフレキシブル配線板４４の一端部を接続し、中継接続端子５１に第１の中継用のフレキシブル配線板４５の他端部を接続し、中継接続端子５２に第２の中継用のフレキシブル配線板４６の他端部を接続し、中継接続端子５３に第３の中継用のフレキシブル配線板４７の他端部を接続するようにしてもよい。
【００４５】
なお、上述の第３、第４実施形態において、半導体チップ搭載領域１３に搭載される半導体チップ４は、信号側ドライバと走査側ドライバが別体のものでもよく、また、半導体チップを搭載するのではなく、セグメント基板１の半導体チップ搭載領域１３上に薄膜トランジスタにより信号側ドライバと走査側ドライバを形成するようにしてもよい。
【００４６】
また、信号側ドライバと走査側ドライバをフレキシブル配線板４４に搭載し、各ドライバの出力を外部接続端子５４に接続するようにすることも可能である。その場合には、セグメント出力端子１２ａおよびコモン出力端子４２ａ、４３ａを形成する必要はなく、中継接続端子４８の中央部のものを、直接、引き回し線１２に接続して、セグメント電極１１と接続し、中継接続端子４８の両側のものを、直接、引き回し線４２、４３に接続してコモン電極３６に接続する構成となる。
【００４７】
さらに、上述の実施形態は、一方の基板の内面にセグメント電極１１およびコモン電極３６が形成され、その各交点近傍にスイッチング素子および画素電極が形成されたアクティブ型の液晶表示装置に適用することもできるものであり、その場合は、引き回し線４２、４３がコモン電極３６に直接接続される構成となり、コモン接続端子２１または２２とコモン電極３６とを導通するための上下配線導通部材は不要となる。また、上述の実施形態においても、セグメント基板１の内面に形成する電極、端子、引き回し線の全てをＩＴＯにより形成することが可能であり、生産性を向上することができる。
【００４８】
（その他の実施形態）
例えば、図３及び図８を参照して説明すると、引き回し線３４、３５及び中継接続端子３１〜３３を、セグメント基板１の外面に設けずに、図示していないが、セグメント基板１の外面に貼り付けられた透明フィルム基板の外面に設けるようにしてよい。また、図５及び図１１を参照して説明すると、引き回し線３４、３５及び中継接続端子３１〜３３を、コモン基板２の外面に設けずに、図示していないが、コモン基板２の外面に貼り付けられた透明フィルム基板の外面に設けるようにしてよい。
【００４９】
ところで、通常の液晶表示装置では、セグメント基板１及びコモン基板２の各外面にそれぞれ偏光板が貼り付けられている。そこで、上記透明フィルム基板は、バックライト側に配置される基板の外側に配置する場合には、当該基板の外面に貼り付けられた偏光板の外側に配置し、バックライト側とは反対側に配置される基板の外側に配置する場合には、当該基板とその外側に配置される偏光板との間に配置する。
【００５０】
なお、上記各実施形態では、セグメント基板の外面側のみまたはコモン基板の外面側のみに外部配線を設けた場合について説明したが、これに限らず、セグメント基板の外面側及びコモン基板の外面側にそれぞれ外部配線を設けるようにしてもよい。
【００５１】
また、上記各実施形態では、例えば図１及び図２に示すように、セグメント基板１の左辺部及び右辺部をコモン基板２から突出させ、左辺突出部１ｂの部分の構造と右辺突出部１ｃの部分の構造とをほぼ左右対称としているが、これに限らず、セグメント基板１の左右辺部のいずれか一方の辺部のみをコモン基板２から突出させるようにしてもよい。
【００５２】
【発明の効果】
以上説明したように、この発明によれば、両基板のうちの少なくとも一方の基板の外面側に配線の一部としての外部配線を設けているので、それに応じて装置全体を小型化することができる。
【図面の簡単な説明】
【図１】この発明の第１実施形態としての液晶表示装置の平面図。
【図２】図１に示すセグメント基板の平面図。
【図３】図１に示すセグメント基板の底面図。
【図４】図１に示すコモン基板の透過平面図。
【図５】この発明の第２実施形態としての液晶表示装置の平面図。
【図６】この発明の第３実施形態としての液晶表示装置の平面図。
【図７】図６に示すセグメント基板の平面図。
【図８】図６に示すセグメント基板の底面図。
【図９】図６に示す液晶表示装置に対してバックライトを配置した状態の平面図。
【図１０】図８の右側面図。
【図１１】この発明の第４実施形態としての液晶表示装置の平面図。
【符号の説明】
１  セグメント基板
１ａ、１ｂ、１ｃ  突出部
２  コモン基板
３  シール材
４  半導体チップ
５  外部接続用のフレキシブル配線板
６、７、８  中継用のフレキシブル配線板
１１  セグメント電極
１２  引き回し線
１３  半導体チップ搭載領域
１４  引き回し線
１５  中継接続端子
１６  外部接続端子
２１、２２  コモン接続端子
２３、２４  引き回し線
２５、２６  中継接続端子
３１、３２、３３  中継接続端子
３４、３５  引き回し線
３６  コモン電極
４０、４１  チップ部品
６１  バックライト
【図１】
2004163651.tif 000003
【図２】
2004163651.tif 000004
【図３】
2004163651.tif 000005
【図４】
2004163651.tif 000006
【図５】
2004163651.tif 000007
【図６】
2004163651.tif 000008
【図７】
2004163651.tif 000009
【図８】
2004163651.tif 000010
【図９】
2004163651.tif 000011
【図１０】
2004163651.tif 000012
【図１１】
2004163651.tif 000013